(57)【要約】【課題】直下型の照明装置において、形体の薄型化を図る。【解決手段】照明装置は、いわゆる直下型の照明装置であり、光源と、光源を駆動する光源駆動回路基板とを有する発光ユニットと、第１支持部材（底面）と、第１支持部材の周囲に形成された第２支持部材（側壁）とを有する支持部材と、を備える。そして、光源が第１支持部材の開口に対応する位置に配置されると共に、光源駆動回路基板は、第２支持部材の外側の面に対向配置されている。これによれば、第１支持部材の外面に光源駆動回路基板を平面的に重ねて配置する構成と比較して、光源の出射方向又は第１支持部材の面の法線方向に対応する照明装置の長さを小さくすることができ、照明装置の薄型化を図ることができる。【選択図】図１
2010062006.tif 000002
【特許請求の範囲】
【請求項１】
光源と、前記光源を駆動する駆動回路基板と、を有する発光ユニットと、
底面と、当該底面の周囲に形成された側壁と、を有する支持部材と、を備え、
前記発光ユニットの前記光源が前記支持部材の前記底面に配置されるとともに、前記発光ユニットの前記駆動回路基板は、前記支持部材の前記側壁の外側の面に対向配置されていることを特徴とする照明装置。
【請求項２】
前記光源は複数配置され、
前記複数の光源には、発光波長の異なる光源が含まれ、
前記駆動回路基板は、前記発光波長の異なる光源に対応して複数設けられていることを特徴とする請求項１に記載の照明装置。
【請求項３】
前記複数の光源には、赤色系の光を発光する赤色系光源と、緑色系の光を発光する緑色系光源と、青色系の光を発光する青色系光源とが含まれ、
前記複数の前記駆動回路基板には、前記緑色系光源及び前記青色系光源を駆動する第１の駆動回路基板と、前記赤色系光源を駆動する第２の駆動回路基板とが含まれていることを特徴とする請求項２に記載の照明装置。
【請求項４】
前記発光ユニットは、前記光源を実装する実装面を有すると共に前記駆動回路基板と電気的に接続される実装基板を有し、
前記実装基板は、前記実装面が前記支持部材の前記底面の外側に対向配置され、
前記底面の前記光源に対応する位置には開口が設けられており、
前記開口には前記光源が挿入されていることを特徴とする請求項１乃至３のいずれか一項に記載の照明装置。
【請求項５】
前記発光ユニットは複数設けられ、
前記複数の前記発光ユニットの前記実装基板は、前記支持部材の前記底面の外側に並べて配置されていることを特徴とする請求項４に記載の照明装置。
【請求項６】
前記発光ユニットは、前記光源を実装する実装面を有すると共に前記駆動回路基板と電気的に接続される実装基板を有し、
前記実装基板は、前記実装面と反対の面が前記支持部材の前記底面の内側に対向配置されることを特徴とする請求項１乃至３のいずれか一項に記載の照明装置。
【請求項７】
前記発光ユニットは複数設けられ、
前記複数の前記発光ユニットの前記実装基板は、前記部材の底面の内側に並べて配置されていることを特徴とする請求項６に記載の照明装置。
【請求項８】
前記側壁は、前記底面と繋がっている側の端部とは反対側の端部側が外側に向けて傾斜しており、
前記駆動回路基板は、前記支持部材の前記側壁と、前記底面の外面を通る第１の仮想平面と、前記第１の仮想平面に略垂直で且つ前記側壁の前記反対側の端部を通る第２の仮想平面との間に形成される空間内に配置される形状を有することを特徴とする請求項１乃至７のいずれか一項に記載の照明装置。
【請求項９】
前記支持部材の内側の面は、光を反射することを特徴とする請求項１乃至８のいずれか一項に記載の照明装置。
【請求項１０】
前記側壁には開口が設けられ、
前記側壁の前記開口に対応する位置には、前記複数の光源より発光された光量を検出して、検出した光量に応じた電気信号を前記駆動回路基板に出力する光センサが配置され、
前記駆動回路基板は、前記光センサから出力された前記電気信号に係る値と基準値とに基づき、前記発光波長の異なる複数の光源の各々に供給する電力量を調整する電力量調整手段を有することを特徴とする請求項２乃至９のいずれか一項に記載の照明装置。
【請求項１１】
一対の基板間に電気光学層を挟持してなる電気光学パネルと、前記電気光学パネルの一方の面側に配置された請求項１乃至１０のいずれか一項に記載の照明装置と、を備えることを特徴とする電気光学装置。
【請求項１２】
請求項１１に記載の電気光学装置を表示部として備えることを特徴とする電子機器。
【発明の詳細な説明】
【技術分野】
【０００１】
本発明は、電気光学装置に用いて好適な直下型の照明装置に関する。
【背景技術】
【０００２】
現在、携帯電話機、携帯情報端末機、コンピュータディスプレイなどの電子機器において、映像を表示するために電気光学装置の一例としての液晶装置が広く用いられている。
【０００３】
このような液晶装置では、液晶表示パネルを背面側から照明して透過表示を行うために、その液晶表示パネルの背面側にバックライト装置（照明装置）が設けられる。かかる照明装置は、液晶表示パネル等に対する光源の配置位置によって、エッジライト方式と直下型方式の２つの方式に大別される。
【０００４】
エッジライト方式は、液晶表示パネルの背面側に光を導く導光板を配し、その導光板の側面部に光源を配置する方式であり、低消費電力化及び薄型化を図れるため、小型〜中型の液晶装置に好適に用いられている。一方、直下型方式は、液晶表示パネルの背面側に光源を配置する方式であり、高い輝度を得られるため、中型〜大型の液晶装置に好適に用いられている。
【０００５】
ところで、直下型方式では、光源として蛍光管から白色光を出射する冷陰極管（ＣＣＦＬ：Cold Cathode Fluorescent Lamp）等の蛍光ランプが一般に用いられているが、ＣＣＦＬが蛍光管内に水銀を封入することで環境に悪影響を及ぼすこともあり、ＣＣＦＬに代わる適宜の光源として、高輝度特性、低電力消費特性或いは長寿命特性等を有する発光ダイオード（ＬＥＤ：Light Emitting Diode）が用いられるようになってきている。
【０００６】
例えば、特許文献１及び２には、ＬＥＤを含む光源を有する直下型のバックライト装置が開示されている。
【０００７】
【特許文献１】特開２００４−１３９８７６号公報
【特許文献２】特開２００７−７３２９０号公報
【発明の開示】
【発明が解決しようとする課題】
【０００８】
ところで、直下型のバックライト装置は大型の液晶テレビに好適に用いられるが、このような液晶テレビに対しては近年薄型化の要求があり、これに伴い、バックライト装置に対しても薄型化が求められている。
【０００９】
ところが、上記した特許文献１に記載のバックライト装置では、ＬＥＤの点灯を制御するＬＥＤ点灯回路が液晶パネル側とは逆側に配置されている。このため、このバックライト装置では、液晶パネルと重なる方向の長さが長くなってしまい、上記した薄型化の要求を実現することができないといった課題がある。
【００１０】
本発明は、以上の点に鑑みてなされたものであり、形体の薄型化を図ることが可能な直下型の照明装置及びそれを用いた電気光学装置並びに電子機器を提供することを課題とする。
【課題を解決するための手段】
【００１１】
本発明の１つの観点では、照明装置は、光源と、前記光源を駆動する駆動回路基板と、を有する発光ユニットと、底面と、当該底面の周囲に形成された側壁と、を有する支持部材と、を備え、前記発光ユニットの前記光源が前記支持部材の前記底面に配置されるとともに、前記発光ユニットの前記駆動回路基板は、前記支持部材の前記側壁の外側の面に対向配置されている。
【００１２】
上記の照明装置は、発光ダイオードなどの光源と、光源を駆動する駆動回路基板と、を有する発光ユニットと、底面と、当該底面の周囲に形成された側壁と、を有する支持部材と、を備える。好適な例では、光源から出射された光の利用効率を高めるため、前記支持部材の内側の面は、光を反射することが好ましい。
【００１３】
特に、この照明装置では、発光ユニットの光源が支持部材の底面に配置されるとともに、発光ユニットの前記駆動回路基板は、支持部材の側壁の外側の面に対向配置されている。これによれば、支持部材の底面に対して駆動回路基板を平面的に重ねる構成と比較して、光源の出射方向に対応する照明装置の長さを小さくすることができ、照明装置の薄型化を図ることができる。
【００１４】
上記の照明装置の一つの態様では、前記光源は複数配置され、前記複数の光源には、発光波長の異なる光源が含まれ、前記駆動回路基板は、前記発光波長の異なる光源に対応して複数設けられている。好適な例では、前記複数の光源には、赤色系の光を発光する赤色系光源と、緑色系の光を発光する緑色系光源と、青色系の光を発光する青色系光源とが含まれ、前記複数の前記駆動回路基板には、前記緑色系光源及び前記青色系光源を駆動する第１の駆動回路基板と、前記赤色系光源を駆動する第２の駆動回路基板とが含まれている。このように、光源の種類に応じて駆動回路基板を設けることで、光源への電力供給が容易となる。
【００１５】
上記の照明装置の他の態様では、前記発光ユニットは、前記光源を実装する実装面を有すると共に前記駆動回路基板と電気的に接続される実装基板を有し、前記実装基板は、前記実装面が、前記支持部材の前記底面の外側に対向配置され、前記底面の前記光源に対応する位置には開口が設けられており、前記開口には前記光源が挿入されている。好適な例では、前記発光ユニットは複数設けられ、前記複数の前記発光ユニットの前記実装基板は、前記支持部材の前記底面の外側に並べて配置されている。
【００１６】
上記の照明装置の他の態様では、前記発光ユニットは、前記光源を実装する実装面を有すると共に前記駆動回路基板と電気的に接続される実装基板を有し、前記実装基板は、前記実装面と反対の面が前記支持部材の前記底面の内側に対向配置される。好適な例では、前記発光ユニットは複数設けられ、前記複数の前記発光ユニットの前記実装基板は、前記部材の底面の内側に並べて配置されている。
【００１７】
上記の照明装置の他の態様では、前記側壁は、前記底面と繋がっている側の端部とは反対側の端部側が外側に向けて傾斜しており、前記駆動回路基板は、前記支持部材の前記側壁と、前記底面の外面を通る第１の仮想平面と、前記第１の仮想平面に略垂直で且つ前記側壁の前記反対側の端部を通る第２の仮想平面との間に形成される空間内に配置される形状を有する。
【００１８】
上記の照明装置の他の態様では、前記側壁には開口が設けられ、前記側壁の前記開口に対応する位置には、前記複数の光源より発光された光量を検出して、検出した光量に応じた電気信号を前記駆動回路基板に出力する光センサが配置され、前記駆動回路基板は、前記光センサから出力された前記電気信号に係る値と基準値とに基づき、前記発光波長の異なる複数の光源の各々に供給する電力量を調整する電力量調整手段を有する。この構成によれば、光源の経時劣化や周囲の温度変化に応じて、電力量調整手段が光源に供給する電力量を調整するので、それらの要因に左右されることなく光源を通じて常に所望の光を放射させることができる。
【００１９】
本発明の他の観点では、一対の基板間に電気光学層を挟持してなる電気光学パネルと、電気光学パネルの一方の面側に配置された上記の何れかの照明装置と、を備える電気光学装置を構成することができる。これによれば、薄型化が図れる電気光学装置を構成することができる。
【００２０】
本発明の更に他の観点では、上記の電気光学装置を表示部として備える電子機器を構成することができる。
【発明を実施するための最良の形態】
【００２１】
以下、図面を参照して本発明を実施するための最良の形態について説明する。
【００２２】
[第１実施形態]
（液晶装置の構成）
まず、図１を参照して、本発明の第１実施形態に係る直下型の照明装置５１を備える、電気光学装置の一例としての液晶装置１００の構成について説明する。
【００２３】
図１は、第１実施形態に係る照明装置５１を備える液晶装置１００の概略構成を示す断面図である。
【００２４】
液晶装置１００は、液晶表示パネル５０と、液晶表示パネル５０の観察側とは逆側に配置され、液晶表示パネル５０を照明する直下型の照明装置５１と、を備える。
【００２５】
液晶表示パネル５０は、第１の基板１と第２の基板２とを枠状のシール材３を介して貼り合わせ、シール材３で区画される領域内に、電気光学層の一例としての液晶層４を狭持して構成される。液晶表示パネル５０の液晶層４側の面上には、例えば、ブラックマトリックス、カラーフィルタ、電極その他の多くの構成要素がマトリクス状（格子状）又はストライプ状（線状）に形成されるが、図１ではそれらの要素の図示を省略している。そして、液晶表示パネル５０におけるシール材３の内側には、画像を表示するための表示領域が形成される。なお、本発明では、液晶表示パネル５０は、特定の構成に限定されず、周知の種々の構成を採り得る。
【００２６】
照明装置５１は、支持部材（筐体）１１と、光学ユニット１２と、拡散部材１３と、光学部材１４と、を備える。
【００２７】
支持部材１１は、第１支持部材（底面）１１ａと、第２支持部材（側壁）１１ｂと、を有する。
【００２８】
第１支持部材１１ａは、板状の形状を有し、複数の開口（又は貫通孔）１１ａｂを備えている。本例では、開口１１ａｂは、第１支持部材１１ａにおいて行列状に配置されている。
【００２９】
第２支持部材１１ｂは、第１支持部材１１ａの外周部から液晶表示パネル５０側に延在する形状を有する。本例では、第２支持部材１１ｂは、第１支持部材１１ａの外周部又は端部から外側に且つ拡散部材１３に向けて斜め方向に延在する形状を有している。第２支持部材１１ｂは、拡散部材１３と、後述する光源２２との間に一定の間隔ｄ１を形成した状態で、拡散部材１３及び光学部材１４を支持する。好適な例では、支持部材１１の液晶表示パネル５０側の面には、例えばアルミニウムや銀などの光を反射させる層が配置されているか、或いは、支持部材１１自体が光を反射する素材にて形成されていることが好ましい。これにより、各光源２２から出射された光Ｌのうち、拡散部材１３側に出射されない一部の光を拡散部材１３に戻す（反射させる）ことができ、光の利用効率を高めることができる。なお、第１支持部材１１ａの外面を通る第１の仮想平面Ｓ１と、第１の仮想平面Ｓ１に略垂直で且つ第２支持部材（側壁）１１ｂの端部を通る第２の仮想平面Ｓ２との間には空間Ａ１が形成されている。
【００３０】
光学ユニット１２は、実装基板（第１の基板）２１と、複数の光源２２と、光源駆動回路基板（第２の基板）２３と、接続部材２４と、を有する。
【００３１】
実装基板２１は、例えばプリント基板であり、光源駆動回路基板２３に電気的に接続され、複数の光源２２に電力を供給する媒体としての役割と、複数の光源２２を保持する役割とを有する。実装基板２１は、光源２２を実装するための実装面２１ａを有する。複数の光源２２は、実装基板２１の液晶表示パネル５０側の実装面２１ａに配置される。各光源２２は、例えば発光ダイオードであり、３６０[°]の全方位に亘り光Ｌを放射する指向特性を有する。光源駆動回路基板２３は、例えばチャージポンプ（昇圧回路）やＤＣ−ＤＣ回路等を備えた、各光源２２を駆動する回路基板である。接続部材２４は、実装基板２１と光源駆動回路基板２３とを電気的に接続する役割を果たす。接続部材２４としては、例えばフレキシブル配線基板や配線などが挙げられる。
【００３２】
なお、本発明では、接続部材２４の両端、並びに実装基板２１及び光源駆動回路基板２３のそれぞれにコネクタ端子を設け、接続部材２４の両端に設けられたコネクタ端子と、実装基板２１及び光源駆動回路基板２３の各コネクタ端子とを電気的に接続するようにしてもよい。
【００３３】
以上の構成を有する発光ユニット１２は、第１支持部材１１ａの液晶表示パネル５０側とは逆側（外側）に配置されている。そして、各光源２２は、第１支持部材１１ａの各開口１１ａｂに挿入されていると共に、実装基板２１は、その実装面２１ａが第１支持部材１１ａと重なるように、第１支持部材１１ａの液晶表示パネル５０側とは逆側の面に対向配置されている。このため、各光源２２の発光側の面は液晶表示パネル５０側に対向している。そして、かかる発光ユニット１２の駆動時には、光源駆動回路基板２３は、接続部材２４及び実装基板２１を介して各光源２２に対して電力を供給する。これにより、各光源２２は駆動され、当該各光源２２から液晶表示パネル５０側に向けて光Ｌが出射される。なお、光学ユニット２１の更に詳細な構成については後述する。
【００３４】
拡散部材１３は、光を拡散させるシート状又は板状の部材であり、各光源２２より出射された光Ｌを光学部材１４に向けて拡散させる。拡散部材１３としては、例えば、白色部材や表面に凹凸が形成された部材などが挙げられる。拡散部材１３は、支持部材１１の第２支持部材１１ｂの外周部に支持されている。このため、拡散部材１３と各光源２２との間には一定の間隔ｄ１を有する空間Ｅが形成されている。このように、拡散部材１３と各光源２２との間に一定の間隔ｄ１を形成している理由は、各光源２２から出射された指向性を有する光Ｌを液晶表示パネル５０側へより拡散させるようにするためである。
【００３５】
光学部材１４には、例えば、上記した拡散部材やプリズムシートなどが含まれる。光学部材１９は、用途に応じて少なくとも１つ（本例では１つ）設けられ、拡散部材１３の液晶表示パネル５０側に配置される。ここで、光学部材１４のうち、拡散部材は、拡散部材１３に対して空気層を介して重ね合わせて配置されることで光の均一性を向上する役割を有するものであり、プリズムシートは、拡散部材１３等により拡散された光を特定の方向に集光する役割を有するものである。
【００３６】
以上の構成を有する液晶装置１００では、複数の光源２２から出射された光Ｌは、図１の破線矢印に示すように拡散部材１３及び光学部材１４をそれぞれ透過し、その透過した光Ｌは、液晶表示パネル５０の表示領域に向けて照射される。この際、液晶表示パネル５０において液晶層４の液晶分子の配向が制御されて、所望の表示画像が観察者によって視認される。特に、この液晶装置１００では、後述するように第２支持部材１１ｂの外側の面に対向するように光源駆動回路基板２３が配置されるので、照明装置５１の薄型化、ひいては液晶装置１００の薄型化を図ることができる。
【００３７】
（光源駆動回路基板の配置構造）
次に、図１及び図２を参照して、本発明の第１実施形態に係る光源駆動回路基板２３の配置構造について説明する。
【００３８】
図２（ａ）は、図１の観察側（表示側）から発光ユニット１２を見た平面図を示す。図２（ｂ）は、図１の観察側から照明装置５１を見た平面図を示す。なお、図２（ｂ）では、便宜上、照明装置５１の構成要素の一部を省略している。
【００３９】
具体的に、発光ユニット１２は、上記した実装基板２１と、発光波長の異なる複数の光源２２と、複数の接続部材２４と、複数の光源駆動回路基板２３と、を備える。
【００４０】
複数の光源２２には、赤色系の光を発光する光源（以下、「赤色系光源」と称する）２２Ｒ、緑色系の光を発光する光源（以下、「緑色系光源」と称する）２２Ｇ、青色系の光を発光する光源（以下、「青色系光源」と称する）２２Ｂが含まれる。ここで、緑色系光源２２Ｇ及び青色系光源２２Ｂは、一般的に、窒化ガリウムなどの素材にて形成された半導体チップを有すると共に、赤色系光源２２Ｒは、ガリウム砒素などの素材にて形成された半導体チップを有する。なお、以下では、各光源の種類を区別するには、例えば「赤色系光源２２Ｒ」などと称し、そうでない場合には、単に「光源２２」と称する。赤色系光源２２Ｒ、緑色系光源２２Ｇ及び青色系光源２２Ｂは、それぞれ第１支持部材１１ａに行列状に設けられた開口１１ａｂ内に配置されている。なお、第１実施形態では、赤色系光源２２Ｒ、緑色系光源２２Ｇ、青色系光源２２Ｂが相互に隣り合うように行列状に配置されているが、本発明では、赤色系光源２２Ｒ、緑色系光源２２Ｇ及び青色系光源２２Ｂの配列順序に限定はない。
【００４１】
複数の光源駆動回路基板２３には、第１の光源駆動回路基板２３ａ及び第２の光源駆動回路基板２３ｂが含まれる。第１の光源駆動回路基板２３ａは、例えば緑色系光源２２Ｇ及び青色系光源２２Ｂをそれぞれ、約３〜４［Ｖ］の電圧で駆動する。一方、第２の光源駆動回路基板２３ｂは、例えば赤色系光源２２Ｒを約１.５〜２［Ｖ］の電圧で駆動する。このように、緑色系光源２２Ｇ及び青色系光源２２Ｂと、赤色系光源２２Ｒとで駆動する電圧を異ならせている理由は、それらを構成する半導体チップの構成素材が異なっているからである。なお、第１の光源駆動回路基板２３ａ及び第２の光源駆動回路基板２３ｂが、緑色系光源２２Ｇ、青色系光源２２Ｂ及び赤色系光源２２Ｒの夫々を駆動するための電流値Ｉｇ、Ｉｂ、Ｉｒは、純度の高い白色光を得るため異なる。
【００４２】
以上の構成を有する発光ユニット１２では、その駆動時に、緑色系光源２２Ｇ、青色系光源２２Ｂ及び赤色系光源２２Ｒの各々が発光することで、それらの各光が混合されて白色光が生成され、その生成された白色光は拡散部材１３に向けて照射される。
【００４３】
次に、比較例と比較した第１実施形態に係る照明装置５１の有利な作用効果について説明する。
【００４４】
図３は、図１に対応する、比較例に係る液晶装置１００ｘの断面構成を示す。
【００４５】
比較例に係る液晶装置１００ｘと第１実施形態に係る液晶装置１００とを比較した場合、その両者は光源駆動回路基板２３ｘの配置構造のみが異なり、それ以外は同様である。よって、以下では、第１実施形態と同一の要素については同一の符号を付し、その説明は省略する。
【００４６】
比較例に係る照明装置５１ｘの発光ユニット１２ｘでは、光源駆動回路基板２３ｘは、実装基板２１の液晶表示パネル５０側とは逆側であって、第１支持部材１１ａと平面的に重なる位置に配置されている。このため、比較例では、照明装置５１ｘと液晶表示パネル５０とが重なり合う方向（光源２２の出射方向）に対応する、照明装置５１の長さｄ１２が長くなってしまい、照明装置５１ｘの薄型化を実現することができないといった課題がある。
【００４７】
これに対して、第１実施形態に係る照明装置５１では、各光源２２を取り囲む位置に配置された第２支持部材（側壁）１１ｂを有する支持部材１１を備え、第１の光源駆動回路基板２３ａ及び第２の光源駆動回路基板２３ｂは、第２支持部材（側壁）１１ｂの外側の面に対向配置されている。さらに、本例では、第１の光源駆動回路基板２３ａと第２の光源駆動回路基板２３ｂとは、第２支持部材（側壁）１１ｂの外側の面に対向する位置であって、且つ相互に対向し合う位置に配置されている。
【００４８】
この構成によれば、照明装置５１ｘと液晶表示パネル５０とが重なり合う方向（光源２２の出射方向）に対応する、照明装置５１の長さ、言い換えれば第１支持部材１１ａの液晶表示パネル５０側とは逆側の面から光学部材１４の液晶表示パネル５０側の面までの長さはｄ２（＜ｄ１２）となる。よって、比較例に係る照明装置５１ｘと比較して、照明装置５１の薄型化を図ることができる。
【００４９】
好適な例では、第２支持部材（側壁）１１ｂは、各光源２２の発光側であって、且つ第１支持部材１１ａの端部から外側に向けて傾斜（又は第１支持部材１１ａと繋がっている側の端部とは反対側の端部側が外側に向けて傾斜）しており、第１の光源駆動回路基板２３ａ及び第２の光源駆動回路基板２３ｂは、それぞれ、第２支持部材（側壁）１１ｂと、第１支持部材１１ａの外面を通る第１の仮想平面Ｓ１と、第１の仮想平面Ｓ１に略垂直で且つ第２支持部材（側壁）１１ｂの前記反対側の端部を通る第２の仮想平面Ｓ２との間に形成される空間Ａ１内に配置されることが可能な形状を有する。
【００５０】
[第２実施形態]
次に、図４を参照して、本発明の第２実施形態に係る照明装置５１ａの構成について説明する。図４（ａ）は、図２（ａ）に対応する、第２実施形態に係る発光ユニット１２ａの平面図を示す。図４（ｂ）は、図２（ｂ）に対応する、第２実施形態に係る照明装置５１ａの平面図を示す。なお、図４（ｂ）では、便宜上、照明装置５１ａの構成要素の一部を省略している。
【００５１】
第２実施形態に係る照明装置５１ａは、第１実施形態に係る照明装置５１と比較して、
発光ユニット１２ａが細長状又は長方形状の平面形状を有し、光源２２が実装基板２１に対して列状（本例では２列状）に配置されている点のみが異なり、それ以外は同様である。よって、以下では、第１実施形態と同一の要素については同一の符号を付し、その説明は省略する。
【００５２】
具体的に、照明装置５１ａは、支持部材１１と、発光ユニット１２ａと、拡散部材１３と、光学部材１４と、を備える。
【００５３】
発光ユニット１２ａは、細長状又は長方形状の平面形状を有する実装基板２１と、発光波長の異なる複数の光源２２と、複数の光源駆動回路基板２３と、複数の接続部材２４と、を備える。複数の光源２２には、赤色系光源２２Ｒ、緑色系光源２２Ｇ及び青色系光源２２Ｂが含まれる。第２実施形態では、赤色系光源２２Ｒ、緑色系光源２２Ｇ、青色系光源２２Ｂが実装基板２１上において相互に隣り合うように２列状に配置されているが、本発明では、赤色系光源２２Ｒ、緑色系光源２２Ｇ及び青色系光源２２Ｂの配列順序に限定はない。複数の光源駆動回路基板２３には、例えば緑色系光源２２Ｇ及び青色系光源２２Ｂを夫々駆動する第１の光源駆動回路基板２３ａと、赤色系光源２２Ｒを駆動する第２の光源駆動回路基板２３ｂと、が含まれる。
【００５４】
以上の構成を有する発光ユニット１２ａは、照明装置５１ａにおいて複数設けられ、各発光ユニット１２ａの実装基板２１は、第１支持部材１１ａの液晶表示パネル５０側とは逆側（外側）の面に重なるように且つ並列に配置され、各光源２２は、第１支持部材１１ａの各開口１１ａｂに挿入されている。このため、各光源２２の発光側の面は液晶表示パネル５０側に対向している。これにより、各光源２２は、第１実施形態と同様の原理により、拡散部材１３に向けて白色光を放射することが可能となっている。
【００５５】
特に、第２実施形態に係る照明装置５１ａでは、各発光ユニット１２ａの第１の光源駆動回路基板２３ａ及び第２の光源駆動回路基板２３ｂは、第２支持部材（側壁）１１ｂの外側の面に対向配置されている。さらに、本例では、各発光ユニット１２ａにおいて、第１の光源駆動回路基板２３ａと第２の光源駆動回路基板２３ｂとは、第２支持部材（側壁）１１ｂの外側の面に対向する位置であって、且つ相互に対向し合う位置に配置されている。
【００５６】
この構成によれば、第１実施形態と同様に、上記した比較例と比べて、照明装置５１ａと液晶表示パネル５０とが重なり合う方向（光源２２の出射方向）に対応する、照明装置５１ａの長さ、言い換えれば第１支持部材１１ａの液晶表示パネル５０側とは逆側の面から光学部材１４の液晶表示パネル５０側の面までの長さを小さくすることができ、照明装置５１ａの薄型化を図ることができる。また、この構成によれば、発光ユニット１２ａが複数設けられる構成となっているため、一部の発光ユニット１２ａに不具合があった場合に、発光ユニット１２ａを部分的に交換することができ、修理等が容易な構成となっている。
【００５７】
好適な例では、第２支持部材（側壁）１１ｂは、各光源２２の発光側であって、且つ第１支持部材１１ａの端部から外側に向けて傾斜しており、第１の光源駆動回路基板２３ａ及び第２の光源駆動回路基板２３ｂは、それぞれ、第２支持部材（側壁）１１ｂと、第１支持部材１１ａの外面を通る第１の仮想平面Ｓ１と、第１の仮想平面Ｓ１に略垂直で且つ第２支持部材（側壁）１１ｂの端部を通る第２の仮想平面Ｓ２との間に形成される空間Ａ１内に配置されることが可能な形状を有する。
【００５８】
[第３実施形態]
次に、図５を参照して、本発明の第３実施形態に係る照明装置５１ｂの構成について説明する。図５（ａ）は、図２（ａ）に対応する、第３実施形態に係る発光ユニット１２ｂの平面図を示す。図５（ｂ）は、図２（ｂ）に対応する、第３実施形態に係る照明装置５１ｂの平面図を示す。なお、図５（ｂ）では、便宜上、照明装置５１ｂの構成要素の一部を省略している。
【００５９】
第３実施形態に係る照明装置５１ｂは、第１実施形態に係る照明装置５１と比較して、
発光ユニット１２ｂの平面的な大きさが第１支持部材１１ａの平面的な大きさと比べて小さい点と、発光ユニット１２ｂの光源２２として白色光を発光する光源２２Ｗを用いている点が異なり、それ以外は同様である。よって、以下では、第１実施形態と同一の要素については同一の符号を付し、その説明は省略する。
【００６０】
具体的に、照明装置５１ｂは、支持部材１１と、発光ユニット１２ｂと、拡散部材１３と、光学部材１４と、を備える。
【００６１】
発光ユニット１２ｂは、矩形状の平面形状を有する実装基板２１と、白色光を発光する複数の光源２２Ｗと、各光源２２Ｗを駆動する光源駆動回路基板２３と、複数の接続部材２４と、を備える。
【００６２】
光源２２Ｗとしては、白色光を発光する発光ダイオードや、擬似白色光を発光する発光ダイオードなどが挙げられる。ここで、擬似白色光を発光する発光ダイオードは、例えば、青色光を発生する青色発光ダイオードと、ＹＡＧ蛍光体を含み青色発光ダイオードの発光面に設けられた樹脂とを有する。青色発光ダイオードから発生した青色光が上記の樹脂を通過するとき、その青色光の一部がＹＡＧ蛍光体に当たって黄色光、すなわち緑色光と赤色光との混合光、に変換され、これがＹＡＧ蛍光体に当たらないで外部へ出射した青色光と混合することにより発光面に白色光が得られるようになっている。光源２２Ｗは、実装基板２１上において行列状に配置され、接続部材２４を介して光源駆動回路基板２３に電気的に接続されている。このため、発光ユニット１２ｂの駆動時には、光源駆動回路基板２３から、接続部材２４及び実装基板２１を介して電力を供給することが可能となっている。
【００６３】
以上の構成を有する発光ユニット１２ｂは、照明装置５１ｂにおいて複数設けられ、各発光ユニット１２ｂの実装基板２１は、第１支持部材１１ａの液晶表示パネル５０側とは逆側の面に重なるように且つ行列状に配置され、各光源２２Ｗは、第１支持部材１１ａの各開口１１ａｂに挿入されている。このため、各光源２２の発光側の面は液晶表示パネル５０側に対向している。これにより、各光源２２Ｗは拡散部材１３に向けて白色光を放射することが可能となっている。
【００６４】
特に、第３実施形態に係る照明装置５１ｂでは、各発光ユニット１２ｂの光源駆動回路基板２３は、第１支持部材１１ａの外側に並べて、或いは第２支持部材（側壁）１１ｂの外側の面に対向配置されている。この構成によれば、第１実施形態と同様に、上記した比較例と比べて、照明装置５１ｂと液晶表示パネル５０とが重なり合う方向（光源２２の出射方向）に対応する、照明装置５１ｂの長さ、言い換えれば第１支持部材１１ａの液晶表示パネル５０側とは逆側の面から光学部材１４の液晶表示パネル５０側の面までの長さを小さくすることができ、照明装置５１ｂの薄型化を図ることができる。
【００６５】
好適な例では、第２支持部材（側壁）１１ｂは、各光源２２Ｗの発光側であって、且つ第１支持部材１１ａの端部から外側に向けて傾斜しており、光源駆動回路基板２３は、第２支持部材（側壁）１１ｂと、第１支持部材１１ａの外面を通る第１の仮想平面Ｓ１と、第１の仮想平面Ｓ１に略垂直で且つ第２支持部材（側壁）１１ｂの端部を通る第２の仮想平面Ｓ２との間に形成される空間Ａ１内に配置されることが可能な形状を有する。
【００６６】
[変形例]
本発明は、上記の実施形態に係る照明装置等の構成に限定されるものではなく、その趣旨を逸脱しない範囲において種々の変更を加えることが可能である。以下、本発明の各種変形例について説明する。
【００６７】
上記の第１及び第２実施形態では、赤色系光源２２Ｒ及び緑色系光源２２Ｇは温度が上昇すると光度が大きく低下するのに対して、青色系光源２２Ｂは逆に温度が上昇すると発光光度が増大する。このため、周囲の温度変化によって、適切な白色光を放射することができなくなる虞がある。また、赤色系光源２２Ｒ、緑色系光源２２Ｇ及び青色系光源２２Ｂはその経時劣化によっても光度が変わってくるため、適切な白色光を放射することができなくなる虞がある。
【００６８】
そこで、このような不具合の発生を防止するため、本発明では、照明装置５１又は５１ａに光センサを設け、その光センサによって赤色系光源２２Ｒ、緑色系光源２２Ｇ及び青色系光源２２Ｂより得られる白色光の色度を検出し、その検出した光センサからの出力に基づいて、赤色系光源２２Ｒ、緑色系光源２２Ｇ及び青色系光源２２Ｂの電力量を調整し、適切な白色光が得られるように制御することが望ましい。
【００６９】
図６は、図１に対応する、かかる構成を有する変形例に係る照明装置５１ｃを有する液晶装置１００ｃの構成を示す断面図である。
【００７０】
変形例に係る照明装置５１ｃは、支持部材１１と、発光ユニット１２又は１２ａと、拡散部材１３と、光学部材１４と、を備える。そして、第２支持部材（側壁）１１ｂには開口１１ｂａが設けられ、第２支持部材（側壁）１１ｂの外側であって且つ開口１１ｂａに対応する位置には、光センサ７０が配置される。
【００７１】
光センサ７０は、赤色系光源２２Ｒ、緑色系光源２２Ｇ及び青色系光源２２Ｂを含む複数の光源２２より発光された光量を検出して、検出した光量に応じた電気信号ｓ１を第１の光源駆動回路基板２３ａ及び第２の光源駆動回路基板２３ｂに出力する。第１の光源駆動回路基板２３ａ及び第２の光源駆動回路基板２３ｂは、それぞれ、赤色系光源２２Ｒ、緑色系光源２２Ｇ及び青色系光源２２Ｂの各々に供給する電力量を調整する電力量調整手段８０を有する。電力量調整手段８０は、光センサ７０から出力された電気信号に係る値が基準値（所望の白色光に対応する値）の範囲内にない場合に、赤色系光源２２Ｒ、緑色系光源２２Ｇ及び青色系光源２２Ｂに対して、光センサ７０から出力される電気信号の値が基準値の範囲内となるような電力（電気信号）ｓ２、ｓ３、ｓ４を供給する。
【００７２】
かかる構成によれば、赤色系光源２２Ｒ、緑色系光源２２Ｇ及び青色系光源２２Ｂが経時劣化し、或いは周囲の温度が変化した場合に、赤色系光源２２Ｒ、緑色系光源２２Ｇ及び青色系光源２２Ｂの各電力量が調整され、常に適切な白色光を得ることが可能となる。
【００７３】
また、上記の第１及び第２実施形態では、発光ユニット１２又は１２ａに対して、緑色系光源２２Ｇ及び青色系光源２２Ｂを駆動する第１の光源駆動回路基板２３ａと、赤色系光源２２Ｒを駆動する第２の光源駆動回路基板２３ｂとを設けるようにしたが、これに限らず、本発明では、発光ユニット１２又は１２ａに対して、赤色系光源２２Ｒ、緑色系光源２２Ｇ及び青色系光源２２Ｂの各々を駆動する複数の光源駆動回路基板を設けるようにしても構わない。この場合、かかる照明装置の薄型化を図るため、各光源駆動回路基板を、第２支持部材（側壁）１１ｂの４つの外側の面のうち、３つの外側の面に夫々対向する位置に配置することができる。
【００７４】
また、上記の各種実施形態では、発光ユニット１２、１２ａ、１２ｂを第１支持部材１１ａの液晶表示パネル５０側とは逆側に配置するように構成した。しかし、これに限らず、本発明では、発光ユニット１２、１２ａ、１２ｂの構成要素のうち、少なくとも実装基板２１及び複数の光源２２を、第１支持部材１１ａと拡散部材１３との間の空間Ｅ内に配置するようにしてもよい。図７は、図１に対応する、かかる構成を有する変形例に係る液晶装置１００ｄの断面図を示す。
【００７５】
液晶装置１００ｄは、図７に示すように、液晶表示パネル５０と、液晶表示パネル５０の一方の面側に配置された照明装置５０ｄと、を有する。照明装置５０ｄは、支持部材１１と、発光ユニット１２（又は１２ａ、１２ｂ）と、拡散部材１３と、光学部材１４と、を備える。支持部材１１の構成要素である第１支持部材１１ａは開口１１ａｂを有していない。支持部材１１の構成要素である第２支持部材（側壁）１１ｂは、接続部材２４を挿通するための開口１１ｂａを有する。発光ユニット１２は、実装基板２１と、赤色系光源２２Ｒ、緑色系光源２２Ｇ及び青色系光源２２Ｂを含む複数の光源２２と、第１の光源駆動回路基板２３ａと、第２の光源駆動回路基板２３ｂと、複数の接続部材２４と、を備える。
【００７６】
特に、この照明装置５１ｄの発光ユニット１２において、実装基板２１は、複数の光源２２が拡散部材１３側に位置するように第１支持部材１１ａの液晶表示パネル５０側の面に重ねて配置され（実装基板２１は、その実装面２１ａと反対の面が第１支持部材１１ａの内側に対向配置され）、また、各接続部材２４は第２支持部材（側壁）１１ｂの開口１１ａｂに挿通され、さらに、第１の光源駆動回路基板２３ａ及び第２の光源駆動回路基板２３ｂは、第２支持部材（側壁）１１ｂの外側の面に対向配置されている。
【００７７】
この構成によれば、第１支持部材１１ａの液晶表示パネル５０側とは逆側の面から光学部材１４の液晶表示パネル５０側の面までの長さはｄ４（＜ｄ２）となる。よって、上記の各実施形態に係る照明装置５１、５１ａ、５１ｂよりも、さらに照明装置５１ｄの薄型化を図ることができる。
【００７８】
また、本発明では、第１支持部材（底面）１１ａが実装基板２１を兼ねていても良く、また、第２支持部材（側壁）１１ｂが光源駆動回路基板２３を兼ねていても良い。即ち、本発明では、支持部材１１を設けることなく、実装基板２１を第１支持部材（底面）１１ａに相当する位置に配置すると共に、光源駆動回路基板２３を第２支持部材（側壁）１１ｂに相当する位置に配置するようにしても良い。
【００７９】
その他、本発明では、支持部材１１における第２支持部材（側壁）の数、光源駆動回路基板２３の数、光源２２の数及び種類などに限定はない。また、本発明では、光源は発光ダイオードに限定されるものではなく、冷陰極管等の蛍光ランプであっても構わない。また、本発明では、電気光学装置の一例としての表示装置は、液晶装置に限定されず、有機エレクトロルミネッセンス表示装置、プラズマディスプレイ装置、及びフィールドエミッション表示装置などに適用してもよい。
【００８０】
[電子機器]
次に、上記した各実施形態に係る照明装置５１、５１ａ、５１ｂ、或いは上記した各変形例に係る照明装置のうちの何れかの照明装置を備える液晶装置（以下、代表して「液晶装置１０００」と称する）を備える電子機器の具体例について図８を参照して説明する。
【００８１】
まず、本発明に係る液晶装置１０００を、可搬型のパーソナルコンピュータ（いわゆるノート型パソコン）の表示部に適用した例について説明する。図８（ａ）は、このパーソナルコンピュータの構成を示す斜視図である。同図に示すように、パーソナルコンピュータ７１０は、キーボード７１１を備えた本体部７１２と、本発明に係る液晶装置１０００を適用した表示部７１３とを備えている。
【００８２】
続いて、本発明に係る液晶装置１０００を、携帯電話機の表示部に適用した例について説明する。図８（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１０００を適用した表示部７２４を備える。
【００８３】
なお、本発明に係る液晶装置１０００を適用可能な電子機器としては、図８（ａ）に示したパーソナルコンピュータや図８（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００８４】
【図１】本発明の第１実施形態に係る照明装置を備える液晶装置の構成を示す断面図。
【図２】第１実施形態に係る照明装置及びその構成要素の構成を示す各平面図。
【図３】比較例に係る照明装置を備える液晶装置の構成を示す断面図。
【図４】第２実施形態に係る照明装置及びその構成要素の構成を示す各平面図。
【図５】第３実施形態に係る照明装置及びその構成要素の構成を示す各平面図。
【図６】変形例に係る照明装置を備える液晶装置の構成を示す断面図。
【図７】他の変形例に係る照明装置を備える液晶装置の構成を示す断面図。
【図８】本発明の照明装置を有する液晶装置を備える電子機器の斜視図。
【符号の説明】
【００８５】
１１  支持部材、  １１ａ  第１支持部材（底面）、  １１ａｂ  開口、  １１ｂ  第２支持部材（側壁）、  １１ｂａ  開口、  １２、１２ａ、１２ｂ  発光ユニット、  １３  拡散部材、  １４  光学部材、  ２１  実装基板、  ２１ａ  実装面、  ２２  光源、  ２３  光源駆動回路基板、  ２３ａ  第１の光源駆動回路基板、  ２３ｂ  第２の光源駆動回路基板、  ２４  接続部材、  ５０  液晶表示パネル、  ５１、５１ａ、５１ｂ、５１ｄ  照明装置、  ７０  光センサ、  ８０  電力量調整手段、  １００、１００ｃ、１００ｄ  液晶装置（電気光学装置）
【図１】
2010062006.tif 000003
【図２】
2010062006.tif 000004
【図３】
2010062006.tif 000005
【図４】
2010062006.tif 000006
【図５】
2010062006.tif 000007
【図６】
2010062006.tif 000008
【図７】
2010062006.tif 000009
【図８】
2010062006.tif 000010